(57)【要約】この発明は5.1チャネルデジタルサラウンド・ヘッドホーンに関するものである。その中に、ヘッドホーン本体及びラインコントローラーを含む。ヘッドホーン本体及びライン・コントローラーの間に導線で接続する。ラインコントローラーの入力端に一つの効率ボックスと接続する。その効率ボックスの中に電源入力ユニット、定電圧フィルター電気回路、増幅電気回路及び5.1チャネルの信号入力ポートがある。外部の電源が電源入力ユニットを通して、定電圧フィルター電気回路に入力し、増幅電気回路の電力は定電圧フィルター電気回路の出力電力から給電する。又、増幅電気回路の入力端を5.1チャネルの信号入力ポートに接続して、増幅電気回路の出力端をライン・コントローラーに接続するので、効率ボックスの効率増幅及びフィルターを通して、雑音比を高めて、ディストーションの比率を低下することで、良いリプレー効果を実現できる。高音、中音を十分現れ、中音、低音が快適に聞こえて、良いデジタル取り巻く効果を持ち、ヘッドホーンは開放式の設計を用いて、音がはっきりきれいであるし、快適につけられ、使用の時他の人に影響しないのである。
2006503456.tif 000002
【特許請求の範囲】
【請求項１】
5.1チャネルデジタルサラウンド・ヘッドホーンに関するものである。その中に、ヘッドホーン本体及びラインコントローラーを含む。ヘッドホーン本体及びライン・コントローラーの間に導線で接続する。その特徴は、ラインコントローラーの入力端に一つの効率ボックスと接続する。その効率ボックスの中に電源入力ユニット、定電圧フィルター電気回路、増幅電気回路及び5.1チャネルの信号入力ポートがある。外部の電源が電源入力ユニットを通して、定電圧フィルター電気回路に入力し、増幅電気回路の電力は定電圧フィルター電気回路の出力電力から給電する。又、増幅電気回路の入力端を5.1チャネルの信号入力ポートに接続して、増幅電気回路の出力端をライン・コントローラーに接続することである。
【請求項２】
特許請求の範囲の１項目目で記載された5.1チャネルデジタルサラウンド・ヘッドホーンに関するものである。又、その効率ボックスの上に、その他対応機能のあるマシンに直接接続する5.1チャネル信号出力ポートを設けてある。
【請求項３】
特許請求の範囲の１項目目で記載された5.1チャネルデジタルサラウンド・ヘッドホーンに関するものである。その効率ボックスの増幅電気回路の出力端に7ピンのソケットが設けられ、ライン・コントローラーと対応する接続する端に7ピンのプラグを用いて、それとマッチングする。
【請求項４】
特許請求の範囲の１項目目で記載された5.1チャネルデジタルサラウンド・ヘッドホーンに関するものである。効率を増幅するためのICブロックにオーディオ・バイパスコンデンサー及びカップリングコンデンサーを接続してある。
【請求項５】
特許請求の範囲の１項目目で記載された5.1チャネルデジタルサラウンド・ヘッドホーンに関するものである。そのライン・コントローラーの上に、CD及びDVDの間での切換えスイッチ、音量電位計を設けてある。
【発明の詳細な説明】
【技術分野】
【０００１】
この発明は電子製品の技術分野に関する製品である。特に5.1チャネルデジタルサラウンド・ヘッドホーンを指すものである。
【背景技術】
【０００２】
電子技術の発展によって、人間はステレオの効果に対する要求はますます高くなったし、オーディオ装置もモノトーンから、ステレオシステム、ドルビーロジック指向性システムから、デジタルサラウンドまで進んだのである。近年、DVDの技術が良くなったので、DVDの容量が多くなり、画像がはっきりディスプレーできるし、ステレオ機能がもっと多くなり、使用が便利になるので、その普及率もますます高くなった。通常DVDで映画を見る場合、ベストのホームシアターの効果を得るため、5.1チャネル効果のあるマシンを設けてから、六つのマッチングできるスピーカーを接続しなければならないが、六つのスピーカーの設置はたくさんの空間を占めるし、接続するラインがより多いので、凄く不便であるし、使用する場合の音量が大きすぎるので、他の人に影響する虞がある。
【０００３】
そのため、現在、市場にはデジタルサラウンド・ヘッドホーンを販売しているが、それは2チャネルのスピーカーを設けて、デジタルの技術を利用して、仮想の5.1チャネルデジタルサラウンド・ヘッドホーンの効果を作ったが、その音場の定位、音源の距離、チャネルの分離などには的確ではないので、ヘッドホーンを使って仮想で作った効果は、実際的の5.1チャネルデジタルサラウンド・ヘッドホーンの効果と比較ならないのである。
【発明の開示】
【０００４】
この発明は上述の欠点を克服し、六つのチャネルを持つし、AC-3/DTS等の解読出力の六つのチャネルに合わせて使用できる。そのため、音場の定位、音源の距離、チャネルの分離などには的確、はっきり現れるので、そのヘッドホーンより、真実な5.1チャネルデジ
タルサラウンドのホームシアターの効果を伝えられる。
【０００５】
この発明はヘッドホーン本体に接続するライン・コントローラーの入力端を通して、一つの効率ボックスと接続する。その効率ボックスの中に電源入力ユニット、定電圧フィルター電気回路、増幅電気回路及び5.1チャネルの信号入力ポートがある。外部の電源が電源入力ユニットを通して、定電圧フィルター電気回路に入力し、増幅電気回路の電力は定電圧フィルター電気回路の出力電力から給電する。又、増幅電気回路の入力端を5.1チャネルの信号入力ポートに接続して、増幅電気回路の出力端をライン・コントローラーと接続する。又、増幅電気回路の中に、効率を増幅するためのICブロックにオーディオ・バイパスコンデンサーを接続してあり、カップリングコンデンサーでの効率ボックスの上に、その他対応機能のあるマシンに直接接続する5.1チャネル信号出力ポートを設けてある。
【０００６】
又、その効率ボックスの増幅電気回路の出力端に7ピンのソケットが設けられ、ライン・コントローラーと対応する接続する端に7ピンのプラグを用いて、それとマッチングする。そのライン・コントローラーの上に、CD及びDVDの間での切換えスイッチ、音量電位計を設けてある。
【０００７】
この発明が効率ボックスの効率増幅及びフィルターを通して、雑音比を高めて、ディストーションの比率を低下することで、良いリプレー効果を実現できる。
【０００８】
高音、中音を十分現れ、中音、低音が快適に聞こえて、良いデジタル取り巻く効果を持ち、ヘッドホーンは開放式の設計を用いて、音がはっきりきれいであるし、快適につけられ、使用の時他の人に影響しないのである。
【０００９】
この発明は5.1チャネルデジタルサラウンド・ヘッドホーンに関するものである。その中に、ヘッドホーン本体及びラインコントローラーを含む。ヘッドホーン本体及びライン・コントローラーの間に導線で接続する。ラインコントローラーの入力端に一つの効率ボックスと接続する。その効率ボックスの中に電源入力ユニット、定電圧フィルター電気回路、増幅電気回路及び5.1チャネルの信号入力ポートがある。外部の電源が電源入力ユニットを通して、定電圧フィルター電気回路に入力し、増幅電気回路の電力は定電圧フィルター電気回路の出力電力から給電する。又、増幅電気回路の入力端を5.1チャネルの信号入力ポートに接続して、増幅電気回路の出力端をライン・コントローラーに接続するので、効率ボックスの効率増幅及びフィルターを通して、雑音比を高めて、ディストーションの比率を低下することで、良いリプレー効果を実現できる。高音、中音を十分現れ、中音、低音が快適に聞こえて、良いデジタル取り巻く効果を持ち、ヘッドホーンは開放式の設計を用いて、音がはっきりきれいであるし、快適につけられ、使用の時他の人に影響しないのである。
【発明を実施するための最良の形態】
【００１０】
図1〜3をご参照ください。この発明は、ヘッドホーン本体1及びラインコントローラー2を含む。ヘッドホーン本体1及びライン・コントローラー2の間に導線で接続する。ラインコントローラー2の入力端に一つの効率ボックス3と接続する。その効率ボックス3の中に電源入力ユニット31、定電圧フィルター電気回路32、増幅電気回路33、及び5.1チャネルの信号入力ポート34、及びその他対応機能のあるマシンに直接接続する5.1チャネル信号出力ポート35がある。
【００１１】
又、外部の電源が電源入力ユニット31を通して、定電圧フィルター電気回路32に入力し、増幅電気回路33の電力は定電圧フィルター電気回路32の出力電力から給電する。又、増幅電気回路33の中に、効率を増幅するためのICブロックにオーディオ・バイパスコンデンサーを接続してあり、増幅電気回路33の入力端を5.1チャネルの信号入力ポート34に接続するが、増幅電気回路33の出力端をラインコントローラー2に接続し、増幅電気回路33の出力端に7ピンのソケットが設けられ、ライン・コントローラー2と対応する接続の端に7ピンのプラグを用いて、それとマッチングする。そのライン・コントローラー2の上に、CD及びDVDの間での切換えスイッチ21、音量電位計が設けられてある。
【００１２】
使用する場合、導線を通して、効率ボックスを7.5VCDの外部電源に接続する。XSIDCの電源ソケットから入力してから、電源スイッチを通して制御した後、電解コンデンサーC32で波をろ過して、磁器コンデンサーC31で高周波及び干渉信号を濾過する。又、定電圧フィルター電気回路32を通過したIC4の電圧が安定した後、その外部の電源を5Vの安定な直流に調整する。電源の電圧が安定してから、電解コンデンサーC29を通して、磁器コンデンサーC30と並列することで、フィールター電気回路を構成するし、充電でエネルギーを蓄する。一つの電源をレジスタR19で電圧を低下してからLEDに流れて発光させることで、電源指示ライトとして使う。別一つの電源を同時にIC1、IC2、IC3に給電することで、正常に作動させる。又、IC1、IC2、IC3の電源正極の2脚及び電源グラウンドの4脚をそれぞれコンデンサーC21、C24、C27と並列することで、電源ワイヤで感じた干渉信号を除去できる。更に、増幅電気回路33に高周波の電気回路を提供することで、IC1、IC2、IC3が各種の干渉を避けられるので安定で作動できる。コード化した後出力する六つの5.1チャネルオーディオ信号(FL、FR、RL、RR、C、SUB)を、効率ボックス3の5.1チャネル信号入力ポート34でのCZ1、CZ2、CZ3のソケットから入力する。
【００１３】
まず、C1〜C6のコンデンサーがそれぞれ六つの導線に感応するし、干渉信号をグラウンドまで濾過してから、レジスタR1〜R12で直列した後、IC1〜IC3のオーディオ信号を増幅する過程に順調で通過できる。又、IC1〜IC3を増幅した後、それぞれIC1〜IC3の1、3脚から出力する。又、それぞれレジスタR13〜R18及びコンデンサーC20、C22、C23、C25、C26、C28で直列することで構成する高周波校正信号を使って自励信号を除去することで、電解コンデンサーC14〜C19からオーディオ信号をカップリングして、7ピンのソケット(CZ-1〜CZ-7)に出力する。
【００１４】
ライン・コントローラー2と接続する7ピンのプラグ(CT-1〜CT-7)を7ピンのソケット(CZ-1〜CZ-7)にインサートした後、六つの5.1チャネル信号をライン・コントローラー2の上での三つのダブル接続電位計VR1〜VR3を通して、それぞれFL、FR、RL、RR、Cに音量の制御を行うことで、スピーカーSP1〜SP6に相応する音を出させて、真中にチャネルを置くことで、ヘッドホーンの左、右の耳でのスピーカー(SP5、SP6)で共同に音の放送を完了する。又、サブ(SUB)がヘッドホーンの左、右の耳での振動器(SP7、SP8)を使って直列でリプレーすることで、超重い低音の効果を生じさせる。振動の雑音を除去するため、サブ機能の入力端に電解コンデンサーC13を並列して、更に、バイパスで中、高周波の信号を除去して、低周波の信号を保留してアンプに進入させる。
【００１５】
この発明のライン・コントローラー2がSW1に音量電位計VR1〜VR3及びCD、DVDの切換えスイッチを設けてあるので、CD又はDVDを見る時、ベターのオーディオ効果を達成できる。又、効率ボックス3の上に、その他対応機能のあるマシンに直接接続する5.1チャネル信号出力ポート35(CZ4〜CZ6)を設けてあるので、スピーカーから放送して、もっと多い人が同時に聞こえるし、ヘッドホーン本体1の上での受話器が音を受けてから、直接DVDに入力してからDVDより放送することができるので、話すと歌を歌うことを実現できるのである。
【図面の簡単な説明】
【００１６】
【図１】図１は、この発明の原理を説明するブロック図である。
【図２】図２は、この発明の構造説明図である。
【図３】図３は、この発明の実施例電気回路図である。
【符号の説明】
【００１７】
１    ヘッドホーン本体
２    ライン・コントローラー
２１    切換えスイッチ
３    効率ボックス
３１    電源入力ユニット
３２    定電圧フィルター電気回路
３３    増幅電気回路
３４    5.1チャネル信号入力ポート
３５    5.1チャネル信号出力ポート
【図１】
2006503456.tif 000003
【図２】
2006503456.tif 000004
【図３】
2006503456.tif 000005
【国際調査報告】
2006503456.tif 000006
2006503456.tif 000007
2006503456.tif 000008
2006503456.tif 000009